(57)【要約】【課題】筆記具に付帯する装置から情報処理端末に向けてデータを送受信するための操作に遊びの感覚を取り入れ、筆記具の使用をより楽しいものとする。【解決手段】筆記行為に使用される筆記具０に付帯する筆記具側装置１と、当該筆記具側装置１との間でデータを授受できる情報処理端末２とを要素とし、前記筆記具側装置１が、筆記具０を使用した筆記行為に関して定量化されたデータを取得して記憶する検出部と、筆記具０の端部を傾ける操作が行われたことを条件として、前記検出部で取得し記憶しているデータを情報処理端末２に向けて送信する送信部とを備え、前記情報処理端末２が、前記筆記具側装置１から送信されるデータを受信する受信部を備える送受信システムを構成した。【選択図】図６
2019209566.tif 000002
【特許請求の範囲】
【請求項１】
筆記行為に使用される筆記具に付帯する筆記具側装置と、当該筆記具側装置との間でデータを授受できる情報処理端末とを要素とし、
前記筆記具側装置が、
筆記具を使用した筆記行為に関して定量化されたデータを取得して記憶する検出部と、
筆記具の端部を傾ける操作が行われたことを条件として、前記検出部で取得し記憶しているデータを情報処理端末に向けて送信する送信部と
を備え、前記情報処理端末が、
前記筆記具側装置から送信されるデータを受信する受信部を備える送受信システム。
【請求項２】
前記情報処理端末が、前記受信部で受信したデータに応じて情報をユーザの視覚または聴覚に訴えかける態様で出力する情報出力部を備える請求項１記載の送受信システム。
【請求項３】
前記送信部及び前記受信部は、筆記具の端部を前記情報処理端末に向けて傾けた状態を保っている時間の長さが閾値を超えたことを条件として送受信を完了するものであり、
前記検出部で取得し記憶しているデータの値の大きさまたはデータの量に応じて前記閾値が変動する請求項１または２記載の送受信システム。
【請求項４】
前記送信部及び前記受信部は、前記データの送受信を行うとき以外の期間において、両者の間の通信を遮断する請求項１、２または３記載の送受信システム。
【請求項５】
請求項１、２、３または４記載の送受信システムを構成するために用いられるものであって、
筆記具を使用した筆記行為に関して定量化されたデータを取得して記憶する検出部と、
筆記具の端部を傾ける操作が行われたことを条件として、前記検出部で取得し記憶しているデータを情報処理端末に向けて送信する送信部と
を備える筆記具側装置。
【請求項６】
筆記行為に使用される筆記具に対して着脱可能である請求項５記載の筆記具側装置。
【請求項７】
請求項１、２、３または４記載の送受信システムを構成するために用いられるものであって、
情報処理端末を、
筆記具の端部を傾ける操作が行われたことを条件として、筆記具に付帯する筆記具側装置から送信される、筆記具を使用した筆記行為に関して定量化されたデータを受信する受信部
として機能させるプログラム。
【請求項８】
前記情報処理端末を、前記受信部で受信したデータに応じて情報をユーザの視覚または聴覚に訴えかける態様で出力する情報出力部としても機能させる請求項７記載のプログラム。
【請求項９】
請求項５または６記載の筆記具側装置と、請求項７または８記載のプログラムとの組。
【発明の詳細な説明】
【技術分野】
【０００１】
本発明は、筆記具に付帯する筆記具側装置と情報処理端末との間でデータを授受するための送受信システムに関する。
【背景技術】
【０００２】
筆記行為の最中における筆記具の筆先の移動の軌跡である筆跡を計測するシステムが公知である（下記特許文献１ないし３を参照）。この種のシステムは、主にオフィス等で、筆記された文字や描画された図形等をディジタルデータ化してスマートフォンやパーソナルコンピュータ等の情報処理端末に取り込む用途に供される。
【０００３】
また、筆記具に装着可能であり、子供等が筆記具を使用して筆記や勉強を行っている時間を計測する計時装置（ストップウォッチ）も既存である（下記特許文献４を参照）。
【０００４】
ところで、筆記具に付帯する装置が計測または取得して記憶保持している何らかのデータを情報処理端末に送信するときには、両者の間で無線通信または有線通信が実行されることとなる。その際にユーザが行う操作としては、当該装置に実装されている特定のボタンまたはスイッチの操作、情報処理端末上でのタッチパネルまたはキー操作、通信ケーブルの接続等が想定される。しかし、このような操作は面白みに欠け、その上で必ずしも直感的でもない。
【先行技術文献】
【特許文献】
【０００５】
【特許文献１】特開２０１６−０２４５０４号公報
【特許文献２】特開２００４−２７４５１８号公報
【特許文献３】特開２００４−０２９９１５号公報
【特許文献４】特許第５１７６０４６号公報
【発明の概要】
【発明が解決しようとする課題】
【０００６】
本発明は、筆記具に付帯する装置から情報処理端末に向けてデータを送受信するための操作に遊びの感覚を取り入れ、筆記具の使用をより楽しいものとすることを所期の目的としている。
【課題を解決するための手段】
【０００７】
本発明では、筆記行為に使用される筆記具に付帯する筆記具側装置と、当該筆記具側装置との間でデータを授受できる情報処理端末とを要素とし、前記筆記具側装置が、筆記具を使用した筆記行為に関して定量化されたデータを取得して記憶する検出部と、筆記具の端部を傾ける操作が行われたことを条件として、前記検出部で取得し記憶しているデータを情報処理端末に向けて送信する送信部とを備え、前記情報処理端末が、前記筆記具側装置から送信されるデータを受信する受信部を備える送受信システムを構成した。
【０００８】
いわば、本発明では、筆記具から情報処理端末にデータをあたかも水のように注ぎ入れる、または流し込む操作を可能とした。
【０００９】
前記情報処理端末は、前記受信部で受信したデータに応じて情報をユーザの視覚または聴覚に訴えかける態様で出力する情報出力部を備えていることがある。
【００１０】
前記送信部及び前記受信部が、筆記具の端部を前記情報処理端末に向けて傾けた状態を保っている時間の長さが閾値を超えたことを条件として送受信を完了するものであり、前記検出部で取得し記憶しているデータの値の大きさまたはデータの量に応じて前記閾値が変動することとすれば、ちょうど水量が多いほど注ぎ入れるのに時間を要するのと同じような操作を具現できる。
【００１１】
前記送信部及び前記受信部が、前記データの送受信を行うとき以外の期間において、両者の間の通信を遮断するものであれば、消費電力の削減に資する。請求項１、２または３記載の送受信システム。
【００１２】
本発明に係る送受信システムを構成するために用いられる筆記具側装置は、筆記具を使用した筆記行為に関して定量化されたデータを取得して記憶する検出部と、筆記具の端部を傾ける操作が行われたことを条件として、前記検出部で取得し記憶しているデータを情報処理端末に向けて送信する送信部とを備える。
【００１３】
筆記具側装置は、筆記行為に使用される筆記具に対して着脱可能であることが好ましい。
【００１４】
本発明に係る筆記行為評価システムを構成するために用いられるプログラムは、情報処理端末を、筆記具の端部を傾ける操作が行われたことを条件として、筆記具に付帯する筆記具側装置から送信される、筆記具を使用した筆記行為に関して定量化されたデータを受信する受信部として機能させる。
【００１５】
このプログラムは、前記情報処理端末を、前記受信部で受信したデータに応じて情報をユーザの視覚または聴覚に訴えかける態様で出力する情報出力部としても機能させることがある。
【発明の効果】
【００１６】
本発明によれば、筆記具に付帯する装置から情報処理端末に向けてデータを送受信するための操作に遊びの感覚を取り入れ、筆記具の使用をより楽しいものとすることができる。
【図面の簡単な説明】
【００１７】
【図１】本発明の一実施形態の送受信システムの要素である筆記具側装置及び情報処理端末を示す斜視図。
【図２】同実施形態の筆記具側装置が備えるハードウェア資源を示す図。
【図３】同実施形態の送受信システムの機能ブロック図。
【図４】同実施形態の情報処理端末が備えるハードウェア資源を示す図。
【図５】同実施形態の筆記具側装置が筆記行為に関するデータを取得するために実行する処理の手順例を示すフロー図。
【図６】同実施形態の筆記具側装置から情報処理端末への筆記行為に関するデータの送受信の実行開始条件としてユーザが行う操作を示す図。
【図７】同実施形態の筆記具側装置及び情報処理端末が筆記行為に関するデータを送受信するために実行する処理の手順例を示すフロー図。
【図８】同実施形態の情報処理端末が筆記量及び筆記の速さに応じて異なる情報を出力する例を示す図。
【図９】同実施形態の情報処理端末が筆記の速さに応じて異なる情報を出力する例を示す図。
【発明を実施するための形態】
【００１８】
本発明の一実施形態を、図面を参照して説明する。図１に示すように、本実施形態における送受信システムは、筆記行為に使用される筆記具０に付帯する筆記具側装置１と、この筆記具側装置１と通信が可能な情報処理端末２とを主たる構成要素とする。筆記具側装置１は、筆記具０を使用した筆記行為に関する定量化されたデータ、例えば筆記行為における筆記量や筆記の速さを取得する役割を担う。情報処理端末２は、筆記具側装置１が取得した筆記行為に関するデータを筆記具側装置１から受信するとともに、そのデータに応じた情報をユーザの視覚または聴覚に訴えかける態様で出力する。
【００１９】
筆記具側装置１は、鉛筆やシャープペンシル、ボールペン等といった既製の筆記具０に後付けすることが可能である。そのために、筆記具側装置１の筐体に、筆記具０を保持する保持部１１を設けている。保持部１１は、例えば筆記具０を挿通して保持することのできる挿通孔であるが、筆記具０をくわえ込み挟持する、または筆記具０の外周に嵌合するクリップやクランプのようなものであっても構わない。筆記具側装置１の筐体は、筆記具０を使用して筆記行為を行うユーザの手指に把持される把持部１２を有することがある。本実施形態では、筆記具側装置１を筆記具０に対して着脱可能としており、幾つもの筆記具０に対して当該筆記具側装置１を共通に使用可能としている。だが、筆記具側装置１が、筆記具０と一体化し筆記具０から脱離不能である、または筆記具０に内蔵されている態様を妨げるものではない。
【００２０】
図２に示すように、筆記具側装置１は、プロセッサ１ａ、メインメモリ１ｂ、補助記憶デバイス１ｃ、加速度センサ１ｄ、通信インタフェース１ｅ、バッテリ１ｆ等のハードウェア資源を備えるマイクロコンピュータシステムである。補助記憶デバイス１ｃは、例えばフラッシュメモリである。加速度センサ１ｄは、例えば、互いに直交するＸ軸、Ｙ軸及びＺ軸の三軸のそれぞれの方向に沿った加速度を計測する三軸加速度センサの機能と、Ｘ軸回りのθ方向、Ｙ軸回りのφ方向及びＺ軸回りのΨ方向のそれぞれの回転方向に沿った角速度を計測する三軸回転角速度センサ（ジャイロセンサ）の機能とを兼ね備えた、いわゆる六軸加速度センサまたは九軸加速度センサである。加速度センサ１ｄにより、筆記具０（の筆先）の運動の加速度を検出でき、加速度の時間積分または反復的に計測した加速度の時系列の積算を通じて筆記具０の運動の速度を算出でき、速度の時間積分または反復的に演算した速度の時系列の積算を通じて筆記具０の運動の変位量を算出できる。因みに、九軸加速度センサは、東西南北の方位を知るための三軸地磁気センサ（電子コンパス）の機能をも有しているが、この地磁気センサの機能は必ずしも必要ではない。
【００２１】
通信インタフェース１ｅは、当該筆記具側装置１と外部の情報処理端末２との間でデータ通信を行うためのデバイスであって、例えばＢｌｕｅｔｏｏｔｈ（登録商標）や無線ＬＡＮ（Ｌｏｃａｌ  Ａｒｅａ  Ｎｅｔｗｏｒｋ）、携帯電話網、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）網等を介した無線通信を実施するための無線トランシーバ、またはＲＦＩＤ（Ｒａｄｉｏ  Ｆｒｅｑｕｅｎｃｙ  ＩＤｅｎｔｉｆｉｃａｔｉｏｎ）カード若しくはチップを含む。バッテリ１ｆは、上記ハードウェア資源に必要な電力を供給する。なお、バッテリ１ｆに代えて、またはバッテリ１ｆとともに、筆記具側装置１に加わる運動（振動）または把持部１２を把持するユーザの体温等を利用して発電し電力供給または充電を行う発電装置を、筆記具側装置１に実装することも考えられる。
【００２２】
筆記具側装置１にあって、プロセッサ１ａにより実行されるべきプログラムは補助記憶デバイス１ｃに格納されており、プログラムの実行の際には補助記憶デバイス１ｃからメインメモリ１ｂに読み込まれ、プロセッサ１ａによって解読される。筆記具側装置１は、プログラムに従って上記ハードウェア資源を作動させ、図３に示す検出部１０１及び送信部１０２としての機能を発揮する。
【００２３】
情報処理端末２は、例えば汎用的な携帯電話端末、特にスマートフォンや、パーソナルコンピュータ、ビデオゲーム機等である。図４に示すように、情報処理端末２は、プロセッサ２ａ、メインメモリ２ｂ、補助記憶デバイス２ｃ、ビデオコーデック２ｄ、オーディオコーデック２ｅ、通信インタフェース２ｆ、入力デバイス２ｇ、ディスプレイ２ｈ、音声出力デバイス２ｉ、バッテリ２ｊ等のハードウェア資源を備え、これらがコントローラ（システムコントローラ、Ｉ／Ｏコントローラ等）２ｋにより制御されて連携動作するものである。補助記憶デバイス２ｃは、フラッシュメモリ、ハードディスクドライブ、光学ディスクドライブ、その他である。ビデオコーデック２ｄは、プロセッサ２ａより受けた描画指示をもとに表示させるべき画面を生成しその画面信号をディスプレイ２ｈに向けて送出するＧＰＵ（Ｇｒａｐｈｉｃｓ  Ｐｒｏｃｅｓｓｉｎｇ  Ｕｎｉｔ）、画面や画像のデータを一時的に格納しておくビデオメモリ等を要素とする。オーディオコーデック２ｅは、符号化されている音声データを復号化して音声出力デバイス２ｉから音声出力する。ビデオコーデック２ｄ及びオーディオコーデック２ｅはそれぞれ、ハードウェアでなくソフトウェアとして実装することも可能である。
【００２４】
通信インタフェース２ｆは、当該情報処理端末２が筆記具側装置１を含む外部の装置またはコンピュータとの間でデータ通信を行うためのデバイスであって、例えばＢｌｕｅｔｏｏｔｈ（登録商標）や無線ＬＡＮ、携帯電話網、ＷｉＭＡＸ網等を介した無線通信を実施するための無線トランシーバ、またはＲＦＩＤカードリーダを含む。入力デバイス２ｇは、ユーザが手指で操作するタッチパネル（ディスプレイ２ｈに重ね合わされたものであることがある）、押下ボタン、マウス、キーボード等、またはユーザが肉声により指令を入力する音声入力デバイス等である。バッテリ２ｊは、上記ハードウェア資源に必要な電力を供給する。
【００２５】
情報処理端末２にあって、プロセッサ２ａにより実行されるべきプログラムは補助記憶デバイス２ｃに格納されており、プログラムの実行の際には補助記憶デバイス２ｃからメインメモリ２ｂに読み込まれ、プロセッサ２ａによって解読される。情報処理端末２は、プログラムに従って上記ハードウェア資源を作動させ、図３に示す受信部２０１及び情報出力部２０２としての機能を発揮する。
【００２６】
以降、本システムの各部の機能について詳述する。筆記具側装置１の検出部１０１は、加速度センサ１ｄを利用して、ユーザによる筆記具０を使用した筆記行為に関する定量化されたデータを取得する。そして、そのデータを、メインメモリ１ｂまたは補助記憶デバイス１ｃの所要の記憶領域に記憶して保持する。
【００２７】
本実施形態にあって、筆記行為に関するデータとは、ユーザの筆記行為における筆記量、及び同筆記行為における筆記の速さを含む。筆記量は、ユーザが筆記行為を行った量を示す。より具体的には、筆記行為を行った時間の積算値、筆記行為において筆記具０の筆先が移動した距離である変位量の積算値、筆記した画数または筆記した文字数である。筆記量が増えるほど、ユーザが書くことに慣れる、または学習や訓練の達成度が上がると言える。筆記の速さは、筆記行為における筆運びの速さ、一定の時間内にユーザが筆記した画数や文字数を示す。より具体的には、筆記行為中の筆記具０の筆先の移動の角速度または速度である。筆記が速いほど、つまり速く書けるほど、ユーザの書き出す力が高く、勉強その他の筆記を伴う作業に集中できていると言える。
【００２８】
筆記具側装置１による筆記行為に関するデータの収集それ自体には、情報処理端末２は関与せず、情報処理端末２の存在及び筆記具側装置１と情報処理端末２との通信は必要ではない。
【００２９】
図５に、筆記具側装置１の検出部１０１における筆記行為に関するデータの取得のための処理の手順を示す。筆記具側装置１の検出部１０１は、所定時間毎、例えば一フレーム（一フレームは、１／３０秒または１／６０秒）毎に、加速度センサ１ｄを介して三軸の加速度［Ｘ，Ｙ，Ｚ］及び三軸回りの回転の角速度［θ，φ，Ψ］を知得する（ステップＳ１）。筆記具側装置１はユーザが用いる筆記具０に固定されており、加速度センサ１ｄが計測する加速度及び角速度は当該筆記具０（の筆先）の運動の加速度及び角速度を示唆する。このとき、加速度センサ１ｄの所定の軸、例えばＺ軸が、筆記具０の軸線方向、換言すれば筆記具０が伸長する方向に平行または略平行となるよう、予め設定されている。
【００３０】
ステップＳ１にて取得する加速度及び角速度は、加速度センサ１ｄが出力する生の値であってもよいし、加速度センサ１ｄの出力値を基に演算して得た算出値、即ち加速度センサ１ｄの出力する生の値を所定の関数式に代入する等して算出した値であってもよい。例えば、加速度センサ１ｄのＺ軸を筆記具０の軸の伸長する方向に合わせている場合、当該筆記具０を用いた筆記行為において筆記が行われる筆記面（筆記される紙等の面）に対してＺ軸が概ね直交し、当該筆記具０の筆先が筆記中にＸ軸方向及びＹ軸方向に変位することが想定される。しかしながら、Ｚ軸と筆記面とが恒常的に直交することは保証されておらず、Ｚ軸が筆記面に対して傾斜することは当然にあり得る。従って、筆記面上での筆先の移動の加速度、速度または変位量を精確に知得するためには、加速度センサ１ｄに作用する重力に基づいてＺ軸の筆記面即ち水平面に対する傾きを検出した上、加速度センサ１ｄの生の出力値［Ｘ，Ｙ，Ｚ］を傾き補正後の加速度値［Ｘ’，Ｙ’，Ｚ’］に変換することが必要となる。筆記中に筆記具０の軸であるＺ軸の筆記面に対する角度が一定であれば、この傾き補正後の加速度値［Ｘ’，Ｙ’］が、筆記面上での筆先の移動の加速度、つまりは筆記面に平行で互いに直交する二軸の方向に沿った加速度となる。並びに、Ｚ’軸方向に沿った加速度値は、筆先が筆記面に対して接近または離間しない限りは０となる（Ｚ’軸方向は筆記面と直交する方向。勿論、一筆書きをしない限り、筆先がＺ’方向に変位することは当然にある）。
【００３１】
尤も、筆記行為の最中に筆記具０の軸の角度は変化し得るので、加速度センサ１ｄの角速度センサとしての機能を利用してその角度変化即ち回転を検出し、傾き補正後の加速度値［Ｘ’，Ｙ’，Ｚ’］にさらに筆記具０の回転を打ち消すような回転行列を適用することで、さらに精度よく筆記面上での筆先の移動の加速度を算出することが可能となる。
【００３２】
とは言え、筆記行為に関するデータの精度に対する要求は必ずしも顕著に高くはない。しかも、現実の筆記面は常に水平であるとは限らず、大学の講義室の机のように天板がやや傾いていたり、ホワイトボードに書く場合のように筆記面が鉛直面であったりすることも可能性としてある。よって、加速度センサ１ｄの出力値に上述の補正を施すことは必須ではない。
【００３３】
ステップＳ１にて取得する加速度及び角速度は、加速度センサ１ｄが出力する生の値に何らかのフィルタ処理を施したものであることがある。加速度センサ１ｄの出力値が頻々に変動または脈動する場合には、加速度センサ１ｄの出力値の移動平均を算出し、または加速度センサ１ｄの出力値をローパスフィルタ処理することで、変動または脈動を抑制した適正な加速度及び角速度を得ることができる。
【００３４】
次いで、検出部１０１は、連続した所定数のフレーム、例えば十フレームを一ピリオドとし、その各ピリオド毎に、当該ピリオドに含まれる各フレームの加速度の絶対値（例えば、√（Ｘ2＋Ｙ2）または√（Ｘ’2＋Ｙ’2））の合算（十個の加速度の絶対値の総和）を算出する。そして、当該合算値が判定閾値を超えている（ステップＳ２）ことを条件として、当該ピリオドをユーザが筆記行為を行っている「書いている時間」にカウントする（ステップＳ４）。さもなくば、当該ピリオドをユーザが筆記行為を行っていない「書いていない時間」にカウントする（ステップＳ５）。
【００３５】
但し、あるピリオドにおける各フレームの加速度の絶対値の合算が判定閾値を超えていたとしても、そのピリオドが「書いている時間」であると直ちに断定はできない。筆記行為以外の要因により、加速度センサ１ｄが検出する筆記具０の運動の加速度が大きくなることがあり得るからである。ユーザが子供等である場合、筆記具０を振ったり、回したり、転がしたりして遊ぶことは想像に難くない。それ故、検出部１０１は、ステップＳ２の判定結果が真であったとしても、当該ピリオドまたは当該ピリオドに含まれるフレームにおいて加速度センサ１ｄを介して検出した筆記具０の運動の加速度または角速度の絶対値が所定の上限値以上（ステップＳ３）のときには、その大きな運動は筆記行為によるものではないとして、当該ピリオドをユーザが筆記行為を行っていない「書いていない時間」にカウントする（ステップＳ５）。
【００３６】
ステップＳ３で参照する（上限値と比較する）加速度または角速度の値は、加速度センサ１ｄの生の出力値であってもよいし、加速度センサ１ｄの出力値を基に演算して得た算出値、特に上述の補正やフィルタ処理等を施した値であってもよい。また、Ｘ軸、Ｙ軸、Ｚ軸の何れの方向の加速度を参照するのか、θ方向、φ方向、Ψ方向の何れの回転方向の角速度を参照するのかも、任意である。加速度センサ１ｄのＺ軸を筆記具０の軸の伸長する方向に合わせている場合において、ユーザが筆記具０を上下に振るときにはＺ軸方向の加速度の絶対値が過大化し、筆記具０を左右に振るときにはＸ軸またはＹ軸方向の加速度の絶対値が過大化すると予想される。並びに、ユーザが筆記具０を回すときにはθ方向またはφ方向の角速度の絶対値が過大化し、筆記具０を軸回りに転がすときにはΨ方向の角速度の絶対値が過大化すると予想される。検出部１０１は、対象のピリオド中の各フレームに計測したＸ軸方向加速度、Ｙ軸方向加速度、Ｚ軸方向加速度、θ方向角速度、φ方向角速度、Ψ方向角速度の絶対値をそれぞれ対応する上限値と比較し、何れかが上限値以上またはこれを上回るのであれば当該ピリオドを「書いていない時間」にカウントする。または、当該ピリオドに含まれる各フレームのＸ軸方向加速度の絶対値の合算値（十個の絶対値の総和）、Ｙ軸方向加速度の絶対値の合算値、Ｚ軸方向加速度の絶対値の合算値、θ方向角速度の絶対値の合算値、φ方向角速度の絶対値の合算値、Ψ方向角速度の絶対値の合算値をそれぞれ対応する上限値と比較して、何れかが上限値以上またはこれを上回るのであれば当該ピリオドを「書いていない時間」にカウントすることとしてもよい。上限値は、軸方向や回転方向毎に個別に設定してもよいし、三軸方向で同値でもよいし、全回転方向で同値でもよい。
【００３７】
あるいは、ステップＳ３にて、対象のピリオド中の筆記具０の運動の速度（の絶対値）または変位量（の絶対値）の平均値、中央値若しくは最大値等を所定の上限値と比較し、前者が後者以上または後者を上回っているときに、当該ピリオドをユーザが筆記行為を行っていない「書いていない時間」にカウントすることとしても構わない。ピリオド中の筆記具０の運動の速度または変位量は、同ピリオド中に加速度センサ１ｄを介して検出した加速度及び／または角速度を基に算出することができる。
【００３８】
ステップＳ１ないしＳ５を通じてカウントした「書いている時間」のピリオド数は、ユーザが筆記具０を使用して行った筆記行為の筆記量に相当する。そして、カウントした「書いている時間」のピリオド数と「書いていない時間」のピリオド数との合算値は、筆記行為以外の時間を含めた、ユーザが筆記具０を手にしていた時間の総体の長さに相当する。筆記具側装置１の検出部１０１は、少なくとも筆記量に相当する「書いている時間」のピリオド数を、メインメモリ１ｂまたは補助記憶デバイス１ｃに記憶する。並びに、「書いていない時間」のピリオド数、及び／または、「書いている時間」のピリオド数と「書いていない時間」のピリオド数との合算値を、メインメモリ１ｂまたは補助記憶デバイス１ｃに記憶する。
【００３９】
加えて、検出部１０１は、「書いている時間」と判定した各ピリオドについて、そのピリオドに含まれる各フレームの加速度の絶対値（例えば、√（ｘ2＋ｙ2）または√（Ｘ’2＋Ｙ’2））の合算（十個の加速度の絶対値の総和）の大きさを段階評価、例えば五段階で評価する（ステップＳ６）。即ち、ステップＳ３における判定閾値を上回る加速度の絶対値の合算が、五段階のランク区分のうちの何れの範囲内に位置するのかを判断する。これは、当該ピリオドにおける筆運びの速さを五段階評価することを意味する。その上で、その五段階評価の発生頻度をカウントする（ステップＳ７）。例えば、あるピリオドの加速度の絶対値の合算がＣランクの範囲内にあるとしたら、Ｃランクの発生頻度の値を１加増する。
【００４０】
ステップＳ６及びＳ７を通じてカウントした各ランクの発生頻度は、ユーザが筆記具０を使用して行った筆記行為における筆記の速さを示唆する。筆記具側装置１の検出部１０１は、各ランクの発生頻度のヒストグラム、即ちＡランクの発生頻度、Ｂランクの発生頻度、……、Ｅランクの発生頻度の各々の値を、メインメモリ１ｂまたは補助記憶デバイス１ｃに記憶する。「書いている時間」にカウントしたピリオド数が５００だとすれば、Ａランクの発生頻度、Ｂランクの発生頻度、……、Ｅランクの発生頻度の合計値が５００になる。ユーザの筆記の速さを評価する際には、最も発生頻度の多かったランク、または各ランクの発生頻度とランクのスコア値（例えば、Ａランクなら５、Ｂランクなら４、……、Ｅランクなら１）との積を全ランクについて合算したものの平均値若しくは中央値等を、その評価のための指標として用いることができる。
【００４１】
検出部１０１は、上記ステップＳ１ないしＳ７を反復的に実行することにより、ユーザの筆記具０を使用した筆記行為に関するデータ、即ち筆記行為における筆記量及び筆記の速さを取得してメインメモリ１ｂまたは補助記憶デバイス１ｃに記憶保持する。ステップＳ２またはＳ３において「書いていない時間」と判定したピリオド中に得た加速度センサ１ｄの出力値、及びそれを基に算出される筆記量や筆記の速さは、筆記行為に関するデータとして取得せず（即ち、「書いている時間」にカウントせず、筆記の速さの五段階評価の対象にもしない。「書いていない時間」のカウントは、筆記量ではなく、筆記行為に関するデータに該当しない）、これを記憶保持しない。
【００４２】
なお、検出部１０１が、筆記行為における筆記量として、「書いている時間」と判定したピリオド中の筆記具０の筆先の変位量の積算値を算出して記憶保持することとしてもよい。並びに、検出部１０１が、同筆記行為における筆記の速さとして、「書いている時間」と判定したピリオド中の筆記具０の筆先の運動の速度の平均値若しくは中央値、「書いている時間」と判定したピリオド中の筆記具０の筆先の変位量の積算値を「書いている時間」のピリオド数で除したもの（結局、単位時間あたりの筆先の変位量）、またはそれらの何れかを段階評価したときの各ランクの発生頻度を算出して記憶保持することとしてもよい。
【００４３】
筆記具側装置１の送信部１０２は、通信インタフェース１ｅを利用して、検出部１０１が検出しメインメモリ１ｂまたは補助記憶デバイス１ｃに記憶保持している、ユーザによる筆記具０を使用した筆記行為に関するデータを情報処理端末２に向けて送信する。情報処理端末２の受信部２０１は、通信インタフェース２ｆを利用して、筆記具側装置１から送信される、筆記行為に関するデータを受信して、それをメインメモリ２ｂまたは補助記憶デバイス２ｃの所要の記憶領域に記憶して保持する。
【００４４】
本実施形態では、図６に示すように、ユーザが、筆記具側装置１の付帯する筆記具０の端部（筆先を有する前端部、または筆先と反対側にある後端部。何れでもよい）を、置かれている情報処理端末２に向けて上方から下方に傾ける操作（筆記具０を寝かせた（より水平に近い）姿勢から筆記具０を立てる（より鉛直に近い）姿勢へと変化させる操作）、あたかも筆記具０内に蓄えた水を筆記具０の端部から情報処理端末２に注ぎ入れるかのような操作を行ったことをきっかけとして、筆記具側装置１と情報処理端末２との間でのデータの授受を開始する。この操作は、ユーザが筆記具０を使用して行った筆記行為の筆記量をある種のエネルギまたはパワーに見立て、ユーザが筆記行為を通じて筆記具０に溜めたそのエネルギまたはパワーを情報処理端末２に流し込む行動を模している。
【００４５】
図７に、筆記具側装置１の送信部１０２及び情報処理端末２の受信部２０１による、筆記行為に関するデータの送受信のための処理の手順を示す。筆記具側装置１の送信部１０２は、データの送受信の前段階の準備が整って以後（ステップＳ８）、所定時間毎、即ち一フレーム毎に、加速度センサ１ｄを介して筆記具０の三軸回りの回転の角速度［θ，φ，Ψ］を知得する（ステップＳ９）。
【００４６】
ステップＳ８の分岐判断は、例えば、ユーザが筆記具側装置１自体に実装されている所定のボタンまたはスイッチ等を操作したときに真となる。または、ユーザが情報処理端末２の入力デバイス２ｇを介して特定の操作を行い、その旨を示す信号または情報が当該情報処理端末２から筆記具側装置１に送信されて、これを筆記具側装置１が受信したときに真となる。当然ながら、筆記具０の端部を下方に向ける操作は筆記中にも行われる。従って、ステップＳ８は、ユーザが意図していないにもかかわらず筆記中に筆記具側装置１から情報処理端末２に向けたデータの送信が実行開始されるのを防止することを目的としている。
【００４７】
ステップＳ９にて取得する角速度は、加速度センサ１ｄが出力する生の値であってもよく、加速度センサ１ｄが出力する生の値に何らかのフィルタ処理を施したものであってもよい。
【００４８】
しかして、筆記具側装置１の送信部１０２は、所定時間毎に加速度センサ１ｄを介して検出した筆記具０の回転の角速度［θ，φ，Ψ］の時系列を、オイラー角またはクォータニオン（四元数）等の任意の数値形式で、情報処理端末２に向けて送信する（ステップＳ１０）。
【００４９】
情報処理端末２の受信部２０１は、筆記具側装置１からもたらされる、所定時間毎の筆記具０の回転の角速度の時系列を受信する（ステップＳ１１）。そして、これに基づき、ユーザが筆記具０の端部を情報処理端末２に向けて傾ける操作を行ったか否かを判定する（ステップＳ１２）。ユーザが筆記具０の端部を情報処理端末２に向けて傾ける操作を行ったと判定した場合には、その旨を示す信号または情報を筆記具側装置１に向けて送信する（ステップＳ１３）。
【００５０】
筆記具側装置１の送信部１０２は、情報処理端末２からもたらされる上記の信号または情報を受信したことを条件として（ステップＳ１４）、メインメモリ１ｂまたは補助記憶デバイス１ｃに記憶保持しているデータの情報処理端末２に向けた送信を実行開始する（ステップＳ１５）。
【００５１】
上述のステップＳ１０ないしＳ１４は、ユーザの手により筆記具０の端部を情報処理端末２に向けて傾ける操作が行われたことを、情報処理端末２の側で判断し確認するものであった。だが、筆記具側装置１において、所定時間毎の筆記具０の回転の角速度の時系列に基づき、そのような操作が行われたか否かを判断し、当該操作が行われたことを条件として、データの情報処理端末２に向けた送信を実行（ステップＳ１５）するようにしても構わない。筆記具側装置１において当該操作の有無を判断するのであれば、ステップＳ１０ないしＳ１４の手順を省略することができる。
【００５２】
ステップＳ１５にて筆記具側装置１が情報処理端末２に向けて送信するデータは、ユーザの筆記行為に関するデータである、筆記量を示す「書いている時間」のピリオド数、及び筆記の速さを示す五段階評価の各ランクの発生頻度、並びに、「書いていない時間」のピリオド数、及び／または、「書いている時間」のピリオド数と「書いていない時間」のピリオド数との合算値を含む。
【００５３】
情報処理端末２の受信部２０１は、筆記具側装置１からもたらされるデータを受信し（ステップＳ１６）、これをメインメモリ２ｂまたは補助記憶デバイス２ｃに記憶する。このとき、情報処理端末２では、過去に受信してメインメモリ２ｂまたは補助記憶デバイス２ｃに記憶保持している「書いている時間」のピリオド数に、今般新たに受信した「書いている時間」のピリオド数を加算することがある。また、過去に受信して記憶保持している筆記の速さの五段階評価の各ランクの発生頻度のヒストグラムに、今般新たに受信した各ランクの発生頻度のヒストグラムを加算することがある。並びに、過去に受信して記憶保持している「書いていない時間」のピリオド数、または「書いている時間」のピリオド数と「書いていない時間」のピリオド数との合算値に、今般新たに受信した「書いていない時間」のピリオド数、または「書いている時間」のピリオド数と「書いていない時間」のピリオド数との合算値を加算することがある。
【００５４】
ステップＳ１５及びＳ１６のデータの送受信は、可能な限り速やかに完遂してもよいが、筆記具側装置１において記憶保持しているデータの値が大きいほど、またはデータの量が多いほど、データの送受信が完了するまでに要する時間が長くなるような演出を施すこともできる。より詳しく述べると、筆記具側装置１の送信部１０２及び情報処理端末２の受信部２０１が、ユーザが筆記具０の端部を前記情報処理端末２に向けて傾けた状態を保っている時間の長さが閾値を超えたことを条件としてデータの送受信を完了することとし、その閾値を、筆記具側装置１が記憶保持する「書いている時間」のピリオド数が多いほど大きく（長く）設定し、または筆記具側装置１が記憶保持する筆記の速さの五段階評価の各ランクの発生頻度が多いほど大きく設定する。つまり、ユーザが筆記行為を通じて筆記具０に溜めたエネルギまたはパワーが多いほど、そのエネルギまたはパワーを全て情報処理端末２に流し込むのに長い時間を要するということである。
【００５５】
データの送受信が完了するまでの間、即ちユーザが筆記具０の端部を情報処理端末２に向けて傾けた状態を保っている間（その状態を保っている時間の長さが閾値に達していない時点において）、情報処理端末２の受信部２０１の機能として、送受信処理の中途であることをユーザに意識させる、換言すればその状態を依然として維持するべきことをユーザに認識させるための情報を、ユーザの視覚または聴覚に訴えかける態様で出力することも好ましい。例えば、送受信の最中に、水が注がれるような動画像をディスプレイ２ｈの画面に表示させてもよいし、水の注がれる音のような効果音を音声出力デバイス２ｉから出力してもよい。
【００５６】
また、このように、データの送受信を即時的に完了しない場合においては、その送受信の最中に、筆記具側装置１のメインメモリ１ｂまたは補助記憶デバイス１ｃに記憶するデータ値、特に「書いている時間」のピリオド数や筆記の速さの五段階評価の各ランクの発生頻度の値を徐変（徐々に減少）させつつ、情報処理端末２のメインメモリ２ｂまたは補助記憶デバイス２ｃに記憶するデータ値、特に「書いている時間」のピリオド数や筆記の速さの五段階評価の各ランクの発生頻度の値を徐変（徐々に加増）するように処理することも可能である。
【００５７】
ユーザが筆記具０の端部を情報処理端末２に向けて傾けた状態を保っている時間の長さが閾値を超える前に、ユーザがその状態を維持することを止めたときには、データの送受信そのものをキャンセルする、即ち筆記具側装置１及び情報処理端末２の各々が記憶するデータを送受信開始前のものとする（または、送受信前のデータに回復させる）ようにしてもよい。あるいは、送受信の最中に筆記具側装置１及び情報処理端末２の各々が記憶するデータ値を徐変させる処理を実施しているのであれば、ユーザが上記の状態を維持することを止めた時点でのデータ値を筆記具側装置１及び情報処理端末２に記憶保持させるようにしてもよい。送受信の最中にユーザが筆記具０の端部を情報処理端末２に向けて傾けた状態を保っているか否かの判断は、送受信の開始条件としてユーザが筆記具０の端部を情報処理端末２に向けて傾ける操作を行ったか否かを判断するのと同様の手順により、情報処理端末２側で実行した上で情報処理端末２から筆記具側装置１に向けてその判断結果を通知（送信）してもよく、筆記具側装置１自身で判断してもよい。
【００５８】
筆記具側装置１と情報処理端末２との間でのデータの送受信（ステップＳ１５及びＳ１６）が完了した後、筆記具側装置１では、それまでメインメモリ１ｂまたは補助記憶デバイス１ｃに記憶保持していた送信済みのデータを、メインメモリ１ｂまたは補助記憶デバイス１ｃから消去する、換言すれば、「書いている時間」のピリオド数、「書いていない時間」のピリオド数、及び筆記の速さの五段階評価の各ランクの発生頻度を、それぞれ０にリセットする（ステップＳ１７）。
【００５９】
筆記具側装置１の送信部１０２及び情報処理端末２の受信部２０１は、上述したステップＳ８ないしＳ１７のデータの送受信を行うとき以外の期間において、両者の間の通信を遮断、即ち互いに向けた無線信号の送出を停止し、以て電力消費を抑制する。
【００６０】
情報処理端末２の情報出力部２０２は、筆記具側装置１から受信してメインメモリ２ｂまたは補助記憶デバイス２ｃに記憶した、ユーザが筆記具０を使用して行った筆記行為に関するデータに応じた情報を、ユーザの視覚または聴覚に訴えかける態様で出力する。
【００６１】
例えば、図８に示すように、ユーザがこれまで行った筆記行為における筆記量（の累積値）を基に、その筆記量を視覚的に示す情報として、筆記量が多くなるほど大きく伸びる樹木２１のような画像を生成または選択し、ディスプレイ２ｈの画面に表示させる。このとき、ユーザがこれまで行った筆記量に応じて音色や旋律、音の大きさ等の異なる音声の情報を生成または選択し、音声出力デバイス２ｉから出力してもよい。
【００６２】
筆記量は、ユーザのこれまでの勉強または訓練等の成果であると言え、これを適時ユーザに向けて提示することで、筆記具０を使用した筆記行為にゲーム性を持たせ、特に子供等のユーザの自発的な勉学への意欲を引き出す。
【００６３】
加えて、情報処理端末２の情報出力部２０２は、図８及び図９に示すように、ユーザがこれまで行った筆記行為における筆記の速さ（の五段階評価の各ランクの発生頻度のヒストグラム）を基に、その筆記の速さを視覚的に示す情報として、筆記の速さに応じて種類の異なる果実２２が樹木２１に実るような画像を生成または選択し、ディスプレイ２ｈの画面に表示させる。例えば、筆記の速さがある低位のランクまたはある低位値よりも低い場合には図９（ａ）に示しているようにチェリー２２が実り、筆記の速さがある高位のランクまたはある高位値よりも高い場合には図９（ｃ）に示しているようにバナナ２２が実り、筆記の速さがそれらの中間にある場合には図９（ｂ）に示しているようにリンゴ２２が実る、というような態様である。このとき、ユーザがこれまで行った筆記行為の筆記の速さに応じて音色や旋律、音の大きさ等の異なる音声の情報を生成または選択し、音声出力デバイス２ｉから出力してもよい。既述の通り、ユーザの過去の筆記行為における筆記の速さは、五段階評価の各ランクの発生頻度のうちの最も発生頻度の多かったランクや、各ランクの発生頻度と当該ランクのスコア値との積を全ランクについて合算したものの平均値若しくは中央値等から評価することができる。Ｄランクの発生頻度が最も多かったのであれば、ユーザの筆記の速さは中程度よりもやや遅く成長または改善の余地があると評価でき、Ａランクの発生頻度が最も多かったのであれば、ユーザの筆記が相当に速くなっており書き出す力が高まっていると評価できる。ランクの発生頻度とランクのスコア値との積の平均値若しくは中央値等を参照するのであれば、その値が高いほどユーザの筆記が速いと評価できる。
【００６４】
情報処理端末２が、ユーザのこれまでの筆記量だけでなく、筆記行為における筆記の速さをも提示することが、特に子供等のユーザに筆記の速さを意識させることに繋がり、書き出す力の涵養に資するものと期待される。小学校低学年であれば一分間に十五文字ないし二十文字、中学年であれば一分間に二十文字ないし二十五文字、高学年であれば一分間に二十五文字ないし三十文字を書くことができる速さが、目標の一つの目安となろう。まともな文字でコンスタントに一分間あたり三十文字書くことができる力があれば、それは書くことに事欠かない大人並みの筆力であり、ノートやメモ、日記や葉書、手紙等を書こうとしたときにすぐに筆が動いてくれるであろう。
【００６５】
本実施形態では、筆記具０を使用した筆記行為における筆記量、及び同筆記行為における筆記の速さを検出する検出部１０１と、前記検出部１０１を介して検出した筆記行為における筆記量に応じた情報をユーザの視覚または聴覚に訴えかける態様で出力し、なおかつ同筆記行為における筆記の速さによって異なる情報をユーザの視覚または聴覚に訴えかける態様で出力する情報出力部２０２とを具備する筆記行為評価システムを構成した。本実施形態によれば、ユーザの筆記行為における筆記量と、筆記の速さとの両方をそれぞれ出力してユーザに提示することができる。ひいては、筆記行為を通じたユーザの学習の達成度とともに、ユーザの書き出す力の向上の度合いを的確に可視化して評価に供することが可能となる。
【００６６】
前記情報出力部２０２は、前記検出部１０１を介して検出した筆記行為の筆記量が所定の閾値に到達したことを条件として、同筆記行為中に検出部１０１を介して検出した筆記の速さに応じて異なる情報を出力する。図８に示した例に則して述べると、筆記の速さを表示する果実２２は、筆記量に応じて伸びる樹木２１がある大きさまで生長しないと、つまり樹木２１がその大きさに生長するのに必要な量即ち閾値まで情報処理端末２に記憶している筆記量が増加しないと、実らない。筆記の速さに応じた音声情報の出力も、同様である。
【００６７】
本実施形態の筆記行為評価システムは、筆記具０に付帯し前記検出部１０１を備える筆記具側装置１と、当該筆記具側装置１との間でデータを授受でき前記情報出力部２０２を備える情報処理端末２とを要素とし、前記筆記具側装置１が、前記検出部１０１で取得した筆記行為の筆記量及び同筆記行為における筆記の速さを記憶し、その記憶している筆記量及び筆記の速さを前記情報処理端末２と通信可能な状況下で当該情報処理端末２に向けて送信し、これを受信した情報処理端末２が、前記情報出力部２０２において当該筆記量及び筆記の速さに基づき前記情報を出力する。本実施形態では、筆記具側装置１において予め筆記の速さを示唆する値、即ち五段階評価の発生頻度のヒストグラムを算出して記憶保持しておき、筆記具側装置１と情報処理端末２との交信が可能なときにそれを送受信する。従って、筆記行為の最中に、恒常的かつ長時間に亘って継続的に、筆記具０の筆先の加速度、速度、変位量、位置座標等を筆記具側装置１から情報処理端末２に送信し続ける必要がない。つまり、筆記具側装置１と情報処理端末２との間の通信の機会を適切に制限して省電力を実現できる。さらには、筆記行為に関するデータの収集を情報処理端末２を必要とせずに（情報処理端末２が不在であっても）遂行することができ、情報処理端末２の存在が筆記行為の妨げとならない。
【００６８】
前記検出部１０１は、筆記具０の筆先の移動の加速度を計測する加速度センサ１ｄを有しており、当該加速度センサ１ｄを利用して簡便に筆記行為の筆記量及び同筆記行為における筆記の速さを算定し取得することができる。
【００６９】
また、本実施形態では、筆記行為に使用される筆記具０に付帯する筆記具側装置１と、当該筆記具側装置１との間でデータを授受できる情報処理端末２とを要素とし、前記筆記具側装置１が、筆記具０を使用した筆記行為に関して定量化されたデータを取得して記憶する検出部１０１と、筆記具０の端部を前記情報処理端末２に向けて傾ける操作が行われたことを条件として、前記検出部１０１で取得し記憶しているデータを情報処理端末２に向けて送信する送信部１０２とを備え、前記情報処理端末２が、前記筆記具側装置１から送信されるデータを受信する受信部２０１を備える送受信システムを構成した。本実施形態によれば、筆記具側装置１と情報処理端末２との間でのデータの授受に際して、筆記具０という物と、情報処理端末２上のアプリケーションプログラムとの連動体験を提供でき、面白みやゲーム性が増進される。
【００７０】
前記情報処理端末２が、前記受信部２０１で受信したデータに応じて情報をユーザの視覚または聴覚に訴えかける態様で出力する情報出力部２０２を備える。
【００７１】
前記送信部１０２及び前記受信部２０１は、筆記具０の端部を前記情報処理端末２に向けて傾けた状態を保っている時間の長さが閾値を超えたことを条件として送受信を完了するものであり、前記検出部１０１で取得し記憶しているデータの値の大きさまたはデータの量に応じて前記閾値が変動する。これにより、筆記具０に蓄えられた筆記量のデータに応じて、ユーザが筆記具０を情報処理端末２に向けて傾ける操作を行う時間が変化し、筆記具０に溜めたエネルギまたはパワーが多いほど、そのエネルギまたはパワーを全て情報処理端末２に流し込むのに時間を要するというヴァーチャルリアルな体験をユーザに提供できる。
【００７２】
前記送信部１０２及び前記受信部２０１は、前記データの送受信を行うとき以外の期間において、両者の間の通信を遮断して消費電力の低減を図る。
【００７３】
さらに、本実施形態では、筆記具０に付帯し、筆記具０の運動の加速度、速度または変位を計測するセンサ１ｄの出力値または当該出力値を基に演算して得た算出値を筆記行為に関するデータとして取得する検出部１０１を備えるものであって、前記検出部１０１は、前記センサ１ｄの出力値または当該出力値を基に演算して得た算出値が所定の上限値以上またはこれを超えているとき、その上限値以上またはこれを超えた出力値または算出値を筆記行為に関するデータとして取得しない筆記具側装置１を構成した。本実施形態によれば、前記センサ１ｄ以外のセンサやスイッチ類を別途実装せずとも、筆記行為に起因する筆記具０の運動と、筆記行為以外の行為に起因する筆記具０の運動等を切り分けて特定することができる。そして、センサ１ｄを介して取得する筆記行為に関するデータに誤差が混入することを効果的に抑制できる。
【００７４】
前記センサ１ｄは、筆記具０に対して不動に設定され互いに直交する三軸のうちの少なくとも一つの軸の方向に沿った筆記具０の運動の加速度、速度または変位を計測するものであり、前記検出部１０１は、前記センサ１ｄの出力値または当該出力値を基に演算して得た算出値が所定の上限値以上またはこれを超えているとき、その上限値以上またはこれを超えた出力値または算出値を筆記行為に関するデータとして取得しない。
【００７５】
前記センサ１ｄは、筆記具０に対して不動に設定され互いに直交する三軸のうちの少なくとも一つの軸を中心とする筆記具０の回転運動の加速度、速度または変位を計測するものであり、前記検出部１０１は、前記センサ１ｄの出力値または当該出力値を基に演算して得た算出値が所定の上限値以上またはこれを超えているとき、その上限値以上またはこれを超えた出力値または算出値を筆記行為に関するデータとして取得しない。
【００７６】
前記センサ１ｄは、三軸加速度センサ及び三軸ジャイロセンサの機能を有するものである。
【００７７】
前記検出部１０１は、筆記行為に関するデータとして、筆記行為の筆記量及び同筆記行為における筆記の速さをともに取得する。
【００７８】
なお、本発明は以上に詳述した実施形態に限られるものではない。各部の具体的な構成や処理の手順等は、本発明の趣旨を逸脱しない範囲で種々変形が可能である。
【符号の説明】
【００７９】
０…筆記具
１…筆記具側装置
１ｄ…加速度センサ
１０１…検出部
１０２…送信部
２…情報処理端末
２０１…受信部
２０２…情報出力部
２１…筆記行為における筆記量に応じて異なる情報（樹木）
２２…筆記行為における筆記の速さに応じて異なる情報（果実）
【図１】
2019209566.tif 000003
【図２】
2019209566.tif 000004
【図３】
2019209566.tif 000005
【図４】
2019209566.tif 000006
【図５】
2019209566.tif 000007
【図６】
2019209566.tif 000008
【図７】
2019209566.tif 000009
【図８】
2019209566.tif 000010
【図９】
2019209566.tif 000011